(57)【特許請求の範囲】
【請求項１】
底部を取り囲んで起立する周壁を有しその内側に液状の内容物を収容する内部空間を有するカップ型の容器本体と、該容器本体の上端開口において保持される蓋体とを備え、
前記蓋体は、該蓋体に載置した抽出パックから抽出した液状の内容物を前記内部空間に注ぎ入れる少なくとも１つの貫通孔を有する天壁と、該貫通孔を挟んで該天壁から起立する一対の突起部とからなり、
該天壁は、該貫通孔と各突起部とのそれぞれの相互間に形成した折り曲げ溝を起点とする各突起部の相互の傾倒によって該内部空間に開口する注出口を備えることを特徴とするカップ型容器。
【請求項２】
前記注出口は、前記折り曲げ溝とともにそれぞれの突起部を取り囲む切り込み或いは弱化部にて形成されるものである請求項１に記載のカップ型容器。
【請求項３】
前記突起部の一方は、他方の突起部に設けた凹部に係止されて互いを傾倒姿勢で保持し合う凸部を有する請求項１又は２に記載のカップ型容器。
【請求項４】
前記天壁は、該天壁の縁部から前記貫通孔に向かって下り勾配となる傾斜壁である請求項１〜３のいずれかに記載のカップ型容器。
【請求項５】
前記容器本体は、前記周壁の上部にフランジを有し、該フランジに、前記天壁に載置した前記抽出パックとともに前記蓋体を覆うシール部材を固着させた請求項１〜４のいずれかに記載のカップ型容器。
【発明の詳細な説明】
【技術分野】
【０００１】
本発明は、水や湯を注ぎ入れることによってコーヒーやお茶等を抽出させてそのまま飲むことのできるカップ型容器に関するものである。
【背景技術】
【０００２】
従来、例えば湯を注ぎ入れることによって１回分のコーヒーやお茶等を抽出させるものとしては、特許文献１に記載のように、コーヒー豆等を収納した抽出容器をカップの上部に保持できるようにしておき、そこへ湯を注ぎ入れることによってカップ内に抽出したコーヒーを受け入れるようにしたものが知られている。
【先行技術文献】
【特許文献】
【０００３】
【特許文献１】特開平８−１０１７０号公報
【発明の概要】
【発明が解決しようとする課題】
【０００４】
ところで、このような抽出容器は、コーヒー等を抽出した後にカップから取り除いて、これをそのまま捨てるか、或いは別の場所に一時的に置かなければならないという煩わしさがある。また、抽出容器をカップから取り除く際に、抽出後の残渣から滴が落ちて周囲を汚してしまうという不具合もある。このため、これらの点について未だ改善の余地が残されている。
【０００５】
本発明の課題は、コーヒーやお茶等を抽出させた後の抽出容器（抽出パック）をカップから取り除くことなく、そのままカップ内のコーヒー等を飲むことができる使い勝手の良い新規のカップ型容器を提案するところにある。
【課題を解決するための手段】
【０００６】
本発明は、底部を取り囲んで起立する周壁を有しその内側に液状の内容物を収容する内部空間を有するカップ型の容器本体と、該容器本体の上端開口において保持される蓋体とを備え、
前記蓋体は、該蓋体に載置した抽出パックから抽出した液状の内容物を前記内部空間に注ぎ入れる少なくとも１つの貫通孔を有する天壁と、該貫通孔を挟んで該天壁から起立する一対の突起部とからなり、
該天壁は、該貫通孔と各突起部とのそれぞれの相互間に形成した折り曲げ溝を起点とする各突起部の相互の傾倒によって該内部空間に開口する注出口を備えることを特徴とするカップ型容器である。
【０００７】
前記注出口は、前記折り曲げ溝とともにそれぞれの突起部を取り囲む切り込み或いは弱化部にて形成されるものであることが好ましい。
【０００８】
前記突起部の一方は、他方の突起部に設けた凹部に係止されて互いを傾倒姿勢で保持し合う凸部を有することが好ましい。
【０００９】
前記天壁は、該天壁の縁部から前記貫通孔に向かって下り勾配となる傾斜壁であることが好ましい。
【００１０】
前記容器本体は、前記周壁の上部にフランジを有し、該フランジに、前記天壁に載置した前記抽出パックとともに前記蓋体を覆うシール部材を固着させることが好ましい。
【発明の効果】
【００１１】
カップ型の容器本体の上端開口において保持される蓋体に、少なくとも１つの貫通孔を有する天壁を設けたので、挽いたコーヒー豆や茶葉等を収納した抽出パックを天壁上に載置しておき、これに湯を注ぐと抽出されたコーヒー等が貫通孔を通して容器本体の内部空間に収容される。さらに蓋体には、貫通孔を挟んで天壁から起立する一対の突起部を設けていて、この天壁に、貫通孔と各突起部とのそれぞれの相互間に形成した折り曲げ溝を起点として、各突起部を貫通孔に向かって相互に傾倒させることによって、内部空間に開口する注出口を設けたので、抽出パックを取り除くことなく、そのまま容器本体内のコーヒー等を飲むことができる。
【００１２】
なお、本明細書において「抽出パック」とは、挽いたコーヒー豆や、茶葉等を不織布等で包んで袋状やテトラ状等にしたものだけでなく、上部を開口させたものやシート状のものであってもよい。また、茶葉等が貫通孔を通り抜けないサイズであれば、不織布等を用いることなく、これらを蓋体上に直接載置させる場合も含む。
【００１３】
注出口を、折り曲げ溝とともにそれぞれの突起部を取り囲む切り込みで形成する場合は、各突起部を傾倒させるだけでこの注出口を設けることができる。また、切り込みの代わりに弱化部にて形成してもよく、この場合も突起部を傾倒させるだけで弱化部を破断させることができるので、注出口を簡単に形成することができる。
【００１４】
突起部の一方に、他方の突起部に設けた凹部に係止されて互いを傾倒姿勢で保持し合う凸部を設ける場合は、傾倒姿勢に変移させておいた突起部が元の位置に戻って容器本体内のコーヒー等を飲む際に邪魔になる不具合を防止することができる。
【００１５】
天壁を、その縁部から貫通孔に向かって下り勾配となる傾斜壁とする場合は、抽出させた内容物を無駄なく内部空間に収容させることができる。
【００１６】
容器本体の周壁の上部にフランジを設け、このフランジに、天壁に載置した抽出パックとともに蓋体を覆うシール部材を固着させる場合には、市場流通時において天壁上に埃や汚れが付着するおそれがなく、またシール部材を剥がしてそのまま湯を注ぎ入れるだけでコーヒー等を抽出させることができるので、使い勝手が良くなる。
【図面の簡単な説明】
【００１７】
【図１】本発明に従うカップ型容器の実施の形態を示す側面視での断面図である。
【図２】図１に示すカップ型容器からシール部材を取り外した平面図である。
【図３】（ａ）は、図２に示す矢印Ａの矢視図であり、（ｂ）は、図２に示す矢印Ｂの矢視図である。
【図４】図１に示すカップ型容器に湯を注ぎ入れた状態を示す側面視での断面図である。
【図５】突起部を互いに傾倒姿勢に変位させた状態を示す、（ａ）は平面図であり、（ｂ）は側面視での断面図である。
【発明を実施するための形態】
【００１８】
以下、図面を参照して、本発明をより具体的に説明する。
図１は、本発明に従うカップ型容器の実施の形態を示す側面視での断面図であって、図２は、図１に示すカップ型容器からシール部材を取り外した平面図であって、図３（ａ）は、図２に示す矢印Ａの矢視図であり、（ｂ）は、図２に示す矢印Ｂの矢視図であって、図４は、図１に示すカップ型容器に湯を注ぎ入れた状態を示す側面視での断面図であって、図５は、突起部を互いに傾倒姿勢に変位させた状態を示す、（ａ）は平面図であり、（ｂ）は側面視での断面図である。
【００１９】
図１において、符号１０はカップ型の容器本体である。容器本体１０は、底部１１を取り囲んで起立する円筒状の周壁１２を有し、これら底部１１と周壁１２との協働によって内部空間Ｍを区画形成している。また、周壁１２は上端において開口していて、ここを上端開口１３としている。さらに周壁１２の上部外周面には、半径方向外側に向けて広がるフランジ１４を備えていて、フランジ１４と周壁１２との連結部には、段部１５を設けている。
【００２０】
符号２０は蓋体である。図示の例で蓋体２０は、その中央部分に設けた少なくとも１つ（ここでは、図２に示すように直線状に９つ）の貫通孔２１を残して上端開口１３を閉鎖する薄板の天壁２２を備えている。図示の例で天壁２２は、その縁部を取り囲んで周壁１２に沿って起立する環状壁２３を一体連結するとともに、この環状壁２３の上端に設けたフランジ状の外縁部２４を備えている。そして、外縁部２４を段部１５に固着させることで、蓋体２０は、上端開口１３において固定保持されている。
【００２１】
また、蓋体２０は、貫通孔２１を挟んで（ここでは、図２に示すように直線状に並んだ貫通孔２１の群を挟んで）天壁２２から起立する一対の突起部２５を備えている。さらに、これら突起部２５のうちの一方には、図３（ａ）に示すように、その頂部の中央に凹部２５ａを設け、他方には、図３（ｂ）に示すように、その頂部の中央に凹部２５ａに適合する凸部２５ｂを設けている。
【００２２】
また、天壁２２は、図１に示すように、貫通孔２１と各突起部２５とのそれぞれの相互間に形成した折り曲げ溝２６を有している。折り曲げ溝２６は、図２に示すように直線状に配置した貫通孔２１と同方向に延在し、その断面形状は下向き凸状となっている。さらに天壁２２は、折り曲げ溝２６の両端部と接続して各突起部２５を取り囲む弱化部２７を備えている。ここで、弱化部２７とは、例えば天壁２２の厚みを部分的に薄くした薄肉形状や、天壁２２を間欠的に切り込んだミシン目形状にて構成されるものであり、比較的弱い力で天壁２２を破断させることができるものをいう。なお、弱化部２７に代えて切り込みを設け、各突起部２５を、折り曲げ溝２６を除いて天壁２２から切り離しておいてもよい。
【００２３】
符号３０は、挽いたコーヒー豆や、茶葉等を不織布等で包んだ抽出パックである。上述したように抽出パック３０は、袋状やテトラ状のみならず、上部を開口させたものやシート状のものであってもよく、また、茶葉等が貫通孔を通り抜けないサイズであれば、不織布等を用いることなく、これらを蓋体上に直接載置してもよい。
【００２４】
また、図１に示す符号４０は、シール部材である。シール部材４０は、抽出パック３０とともに蓋体２０を覆ってフランジ１４に固着されており、これら抽出パック３０や蓋体２０に埃や汚れが付着することを防止している。なお、シール部材４０は、図示のようにフランジ１４に直接固着させても、また、例えば蓋体２０の外縁部２４と固着させることで間接的にフランジ１４に固着させてもよい。
【００２５】
上記のように構成されるカップ型容器において、コーヒー等を抽出させるにあたっては、図４に示すようにシール部材４０を剥がした状態で、抽出パック３０に向けて湯を注ぎ入れる。そして、抽出パック３０にて抽出させたコーヒー等は、貫通孔２１を通して容器本体１０の内部空間Ｍに収容される。
【００２６】
そして、抽出後は、各突起部２５を、折り曲げ溝２６を起点として貫通孔２１に向けて相互に傾倒させる。これにより、弱化部２７が破断して、図５（ａ）（ｂ）に示すように、内部空間Ｍにつながる注出口５０が形成され、この注出口５０を飲み口として、内部空間Ｍのコーヒー等を飲むことが可能となる。
【００２７】
このように、本発明によれば、使用後の抽出パック３０を取り除くことなく、そのまま容器本体１０内のコーヒー等を飲むことができる。また、抽出パック３０の残渣から落ちる滴は、そのまま内部空間Ｍに収容されるので、この滴で周囲を汚してしまう不具合も防止することができる。
【００２８】
図示の例のように、突起部２５に凹部２５ａ、凸部２５ｂを設ける場合は、突起部２５を相互に傾倒姿勢で保持し合うことができるので、これらの突起部２５が元の位置に戻ってコーヒー等を飲む際に邪魔になる不具合を有効に防止することができる。また、抽出パック３０は、これら突起部２５にて覆われているので、容器本体１０を傾けた際に落下するおそれを有効に防止することができる。
【００２９】
さらに、図示の例のように天壁２２を、その縁部から貫通孔２１に向かって下り勾配となる傾斜壁とする場合は、抽出させた内容物を天壁２２に留めることなく効率よく内部空間Ｍへ収容させることができる。
【産業上の利用可能性】
【００３０】
本発明によれば、抽出パックを容器から取り除く煩わしい作業が不要となるので抽出したコーヒー等を手軽に飲むことができ、また、従来起こりがちであった、抽出パックを取り除く際に抽出後の残渣から滴が落ちて周囲を汚してしまうという不具合を防止することができる、新たなカップ型容器を提供することが可能となる。
【符号の説明】
【００３１】
１０  容器本体
１１  底部
１２  周壁
１３  上端開口
１４  フランジ
２０  蓋体
２１  貫通孔
２２  天壁
２５  突起部
２５ａ  凹部
２５ｂ  凸部
２６  折り曲げ溝
２７  弱化部
３０  抽出パック
４０  シール部材
５０  注出口
Ｍ    内部空間
【図１】
0005917237.tif 000002
【図２】
0005917237.tif 000003
【図３】
0005917237.tif 000004
【図４】
0005917237.tif 000005
【図５】
0005917237.tif 000006